(57)【要約】【課題】設置時や改修時の配線作業を行い易くする状態で、湯水循環用の循環路における浴槽に近接する部分を外部に開放する状態と開放しない状態とに電気的に切換操作可能な弁を設けた給湯設備を提供すること。【解決手段】循環路２３，２４における浴槽５に近接する部分を外部に開放する排水用の弁４４が、運転リモコンＲ１からの動作電力にて操作されるように設けられ、運転リモコンＲ１が、運転制御手段Ｈ１からの指令に基づいて、排水用の弁４４を開閉操作するように、排水用の弁４４の動作電力を制御するように構成され、運転制御手段Ｈ１が、湯水通流手段１，３，１７，２１，２２，２６，３２，４６をドレン排水状態に切り換えてドレンを排水する状態においては、排水用の弁を開き、かつ、湯水通流手段を湯水循環状態及び給湯状態に切り換えて湯水を通流する状態においては、排水用の弁４４を閉じるように、運転リモコンＲ１に指令するように構成されている給湯設備を構成した。【選択図】図１
2008008588.tif 000002
【特許請求の範囲】
【請求項１】
給湯器本体における潜熱回収式の熱交換器を備えた湯水加熱部と浴槽とを接続する湯水循環用の循環路と、
前記湯水加熱部にて発生したドレンを貯留するドレンタンクと、
前記循環路の往き路及び戻り路を通して前記浴槽の湯水を循環させる湯水循環状態、前記循環路を通して前記湯水加熱部からの給湯用湯水を前記浴槽に給湯する給湯状態、及び、前記循環路を通して前記ドレンタンクのドレンを浴槽側に通流させるドレン排水状態に切換自在な湯水通流手段と、
前記給湯器本体に装備されて、前記湯水加熱部及び前記湯水通流手段の作動を制御する運転制御手段と、
前記浴槽に近接する箇所に設置されて、前記給湯器本体側から作動用電力が供給され且つ前記運転制御手段と通信自在な運転リモコンとが設けられた給湯設備であって、
前記循環路における前記浴槽に近接する部分を外部に開放する排水用の弁が、前記運転リモコンからの動作電力にて操作されるように設けられ、
前記運転リモコンが、前記運転制御手段からの指令に基づいて、前記排水用の弁を開閉操作するように、前記排水用の弁の動作電力を制御するように構成され、
前記運転制御手段が、前記湯水通流手段を前記ドレン排水状態に切り換えてドレンを排水する状態においては、前記排水用の弁を開き、かつ、前記湯水通流手段を前記湯水循環状態及び前記給湯状態に切り換えて湯水を通流する状態においては、前記排水用の弁を閉じるように、前記運転リモコンに指令するように構成されている給湯設備。
【請求項２】
給湯器本体における潜熱回収式の熱交換器を備えた湯水加熱部と浴槽とを接続する湯水循環用の循環路と、
前記湯水加熱部にて発生したドレンを貯留するドレンタンクと、
前記循環路の往き路及び戻り路を通して前記浴槽の湯水を循環させる湯水循環状態、前記循環路を通して前記湯水加熱部からの給湯用湯水を前記浴槽に給湯する給湯状態、及び、前記循環路を通して前記ドレンタンクのドレンを浴槽側に通流させるドレン排水状態に切換自在な湯水通流手段と、
前記給湯器本体に装備されて、前記湯水加熱部及び前記湯水通流手段の作動を制御する運転制御手段と、
前記浴槽に近接する箇所に設置されて、前記給湯器本体側から作動用電力が供給され且つ前記運転制御手段と通信自在な運転リモコンとが設けられた給湯設備であって、
前記循環路における前記浴槽に近接する部分を外部に開放する排水用の弁が、前記給湯器本体からの動作電力にて操作されるように設けられ、
前記運転制御手段が、前記湯水通流手段を前記ドレン排水状態に切り換えてドレンを排水する状態においては、前記排水用の弁を開き、かつ、前記湯水通流手段を前記湯水循環状態及び前記給湯状態に切り換えて湯水を通流する状態においては、前記排水用の弁を閉じるように、前記排水用の弁の動作電力を制御するように構成され、
前記循環路を形成するための配管、前記給湯器本体と前記リモコンとを接続するリモコン用配線、及び、前記給湯器本体と前記排水用の弁とを接続する弁操作用配線が、共通の保護管の内部に収容された状態で配設されている給湯設備。
【請求項３】
前記排水用の弁が、閉じ側に復帰付勢されて、開くための動作電力が供給されるように、その動作電力が制御されるように構成されている請求項１又は２記載の給湯設備。
【請求項４】
前記湯水通流手段が、前記給湯状態において、前記循環路の往き路及び戻り路を通して前記浴槽に給湯するように構成されている請求項１〜３のいずれか１項に記載の給湯設備。
【発明の詳細な説明】
【技術分野】
【０００１】
本発明は、給湯器本体における潜熱回収式の熱交換器を備えた湯水加熱部と浴槽とを接続する湯水循環用の循環路と、前記湯水加熱部にて発生したドレンを貯留するドレンタンクと、前記循環路の往き路及び戻り路を通して前記浴槽の湯水を循環させる湯水循環状態、前記循環路を通して前記湯水加熱部からの給湯用湯水を前記浴槽に給湯する給湯状態、及び、前記循環路を通して前記ドレンタンクのドレンを浴槽側に通流させるドレン排水状態に切換自在な湯水通流手段と、前記給湯器本体に装備されて、前記湯水加熱部及び前記湯水通流手段の作動を制御する運転制御手段と、前記浴槽に近接する箇所に設置されて、前記給湯器本体側から作動用電力が供給され且つ前記運転制御手段と通信自在な運転リモコンとが設けられた給湯設備に関する。
【背景技術】
【０００２】
上記給湯設備の従来例として、湯水通流手段が、ドレン排水状態に切り換えられると、ドレンタンクに貯留されたドレンを、循環路の往き路を経由して浴槽に排出するように構成されたものがある（例えば、特許文献１参照。）。
【０００３】
しかし、上記特許文献１のような構成であると、浴槽にドレン水を排出するので、浴槽が汚れてしまう、或いは、浴槽に湯水が存在する場合には、浴槽水にドレン水が混入してしまうといったように、清潔感が損なわれるという問題がある。
【０００４】
そこで、ドレン水を浴槽に排出しないようにするべく、循環路の戻り路における浴槽に近接する部分を外部に開放する排水用の逆止弁を設け、かつ、排水用の逆止弁よりも戻り路において浴槽側の箇所で浴槽側への通水を禁止する浴槽用の逆止弁（排水用の逆止弁よりも開弁圧が小さい）を設けて、湯水通流手段をドレン排水状態に切換えた状態で、ドレンを戻り路にて浴槽側に通水させて排水用の逆止弁の開放側にドレン水を排水するように構成されたものがある（例えば、特許文献２参照。）。
【０００５】
ところが、特許文献２のような構成であると、前記浴槽用の逆止弁が設けられているので、循環路の戻り路から浴槽へ通水させることができない。このため、湯水通流手段を、給湯状態に切り換えて循環路を通して湯水加熱部からの給湯用湯水を浴槽に給湯する場合には、循環路のうち、往き路だけを使用して給湯することになり、湯張り運転や足し湯運転のように浴槽に給湯する場合に、給湯が開始されてから完了するまでに時間が掛かってしまうという不都合がある。
【０００６】
そこで、ドレン排水状態において浴槽へのドレンの排出を防止でき、しかも、給湯状態において往き路及び戻り路の双方を使って給湯が行える給湯設備として、排水用の逆止弁及び浴槽用の逆止弁を循環路の戻り路の浴槽近くの箇所に設けられた構成に代えて、特許文献２の段落〔０００６〕にも記載されているように、電気的に切換操作可能な弁を、循環路の戻り路又は往き路の浴槽に近接する部分に設け、運転制御手段が、前記湯水通流手段をドレン排水状態に切換えた状態においては循環路を外部に開放し、前記湯水通流手段を温水循環状態及び給湯状態に切換えた状態においては、循環路を循環路を外部に開放しない状態となるように、前記弁を開閉操作するように構成されたものが考えられている。
【０００７】
【特許文献１】特開２００１−２６３７８９号公報
【特許文献２】特開２００６−００３０３９号公報
【発明の開示】
【発明が解決しようとする課題】
【０００８】
しかしながら、電気的に切換操作可能な弁を設けた構成とする場合には、その弁を切り換え作動させるための制御線或いは電力線を運転制御手段と弁の取り付け箇所の間に配線する必要がある。このため、給湯設備の設置時や改修時の作業が手間の掛かるものとなってしまう。
【０００９】
本発明は上記実状に鑑みて為されたものであって、その目的は、設置時や改修時の配線作業を行い易くする状態で、湯水循環用の循環路における浴槽に近接する部分を外部に開放する状態と開放しない状態とに電気的に切換操作可能な弁を設けた給湯設備を提供する点にある。
【課題を解決するための手段】
【００１０】
本発明にかかる給湯設備は、給湯器本体における潜熱回収式の熱交換器を備えた湯水加熱部と浴槽とを接続する湯水循環用の循環路と、前記湯水加熱部にて発生したドレンを貯留するドレンタンクと、前記循環路の往き路及び戻り路を通して前記浴槽の湯水を循環させる湯水循環状態、前記循環路を通して前記湯水加熱部からの給湯用湯水を前記浴槽に給湯する給湯状態、及び、前記循環路を通して前記ドレンタンクのドレンを浴槽側に通流させるドレン排水状態に切換自在な湯水通流手段と、前記給湯器本体に装備されて、前記湯水加熱部及び前記湯水通流手段の作動を制御する運転制御手段と、前記浴槽に近接する箇所に設置されて、前記給湯器本体側から作動用電力が供給され且つ前記運転制御手段と通信自在な運転リモコンとが設けられたものであって、
その第１特徴構成は、
前記循環路における前記浴槽に近接する部分を外部に開放する排水用の弁が、前記運転リモコンからの動作電力にて操作されるように設けられ、前記運転リモコンが、前記運転制御手段からの指令に基づいて、前記排水用の弁を開閉操作するように、前記排水用の弁の動作電力を制御するように構成され、前記運転制御手段が、前記湯水通流手段を前記ドレン排水状態に切り換えてドレンを排水する状態においては、前記排水用の弁を開き、かつ、前記湯水通流手段を前記湯水循環状態及び前記給湯状態に切り換えて湯水を通流する状態においては、前記排水用の弁を閉じるように、前記運転リモコンに指令するように構成されている点にある。
【００１１】
本発明の第１特徴によると、運転リモコンは、運転制御手段からの指令に基づいて、排水用の弁を開閉操作するように、排水用の弁の動作電力を制御するので、運転制御手段は、前記湯水通流手段を前記ドレン排水状態に切り換えてドレンを排水する場合には、排水用の弁を開くように運転リモコンに指令することで、運転リモコンに、排水用の弁に供給される動作電力を制御させて排水用の弁を開かせることができる。つまり、運転制御手段は、ドレンを排水する場合には、運転リモコンに対して指令することにより、循環路における前記浴槽に近接する部分を外部に開放する状態とすることができる。
【００１２】
したがって、ドレンタンクに貯留されたドレンを外部へ排出する場合には、運転制御手段が湯水通流手段をドレン排水状態に切り換えて、運転リモコンに排水用の弁を開くように指令することで、ドレンを浴槽に排出することなく、循環路を経由して浴室の外部へドレンを排出することができる。
【００１３】
しかも、排水用の弁は、浴槽に近接する箇所に設置された運転リモコンからの動作電力にて操作されるので、排水用の弁を循環路における浴槽に近接する部分に設ける場合に、互いに近い箇所に位置する運転リモコンと排水用の弁との間で配線を行えばよいので、運転制御手段から排水用の弁に対する動作電力を供給するための配線及び制御信号を送信するための配線を別途設ける必要がなく、運転制御手段と運転リモコンとの間の配線を増やさずに済むため、配線作業が行い易くなる。
【００１４】
特に既設の給湯設備の循環路に排水用の弁を後付けして設備を改修する場合には、排水用の弁と改修後の運転リモコンとの間を配線するだけの簡単な配線を追加することにより、後付した排水用の弁を、改修後の運転制御手段により制御可能な状態とすることができる。
【００１５】
このように、本発明の第１特徴構成によると、設置時や改修時の配線作業を行い易くする状態で、湯水循環用の循環路における浴槽に近接する部分を外部に開放する状態と開放しない状態とに電気的に切換操作可能な弁を設けた給湯設備を得るに至った。
【００１６】
本発明にかかる給湯設備は、給湯器本体における潜熱回収式の熱交換器を備えた湯水加熱部と浴槽とを接続する湯水循環用の循環路と、前記湯水加熱部にて発生したドレンを貯留するドレンタンクと、前記循環路の往き路及び戻り路を通して前記浴槽の湯水を循環させる湯水循環状態、前記循環路を通して前記湯水加熱部からの給湯用湯水を前記浴槽に給湯する給湯状態、及び、前記循環路を通して前記ドレンタンクのドレンを浴槽側に通流させるドレン排水状態に切換自在な湯水通流手段と、前記給湯器本体に装備されて、前記湯水加熱部及び前記湯水通流手段の作動を制御する運転制御手段と、前記浴槽に近接する箇所に設置されて、前記給湯器本体側から作動用電力が供給され且つ前記運転制御手段と通信自在な運転リモコンとが設けられたものであって、
その第２特徴構成は、
前記循環路における前記浴槽に近接する部分を外部に開放する排水用の弁が、前記給湯器本体からの動作電力にて操作されるように設けられ、前記運転制御手段が、前記湯水通流手段を前記ドレン排水状態に切り換えてドレンを排水する状態においては、前記排水用の弁を開き、かつ、前記湯水通流手段を前記湯水循環状態及び前記給湯状態に切り換えて湯水を通流する状態においては、前記排水用の弁を閉じるように、前記排水用の弁の動作電力を制御するように構成され、前記循環路を形成するための配管、前記給湯器本体と前記リモコンとを接続するリモコン用配線、及び、前記給湯器本体と前記排水用の弁とを接続する弁操作用配線が、共通の保護管の内部に収容された状態で配設されている点にある。
【００１７】
本発明の第２特徴構成によると、運転制御手段が、排水用の弁を開閉操作するように、排水用の弁の動作電力を制御するものであるから、前記湯水通流手段を前記ドレン排水状態に切り換えてドレンを排水する場合には、運転制御手段が排水用の弁に供給される動作電力を制御して排水用の弁を開くことができる。つまり、運転制御手段は、ドレンを排水する場合には、排水用の弁を開くように制御して、循環路における前記浴槽に近接する部分を外部に開放する状態とすることができる。
【００１８】
したがって、ドレンタンクに貯留されたドレンを外部へ排出する場合には、運転制御手段が湯水通流手段をドレン排水状態に切り換えて、排水用の弁を開くように制御することで、ドレンを浴槽に排出することなく、循環路を経由して浴室の外部へドレンを排出することができる。
【００１９】
しかも、循環路を形成するための配管、給湯器本体とリモコンとを接続するリモコン用配線、及び、給湯器本体と排水用の弁とを接続する弁操作用配線が、共通の保護管の内部に収容された状態で配設されているので、排水用の弁を循環路における浴槽に近接する部分に設ける場合には、弁操作用配線を共通の保護管に収納することで、別途に弁操作用配線を配設する場合に使用することになるクランプ等の配線用の部材や配設経路の検討も不要となり、弁操作用配線固有の配線作業を行わなくてよい分だけ配線作業が行い易くなる。
【００２０】
このように、本発明の第２特徴構成によると、設置時や改修時の配線作業を行い易くする状態で、湯水循環用の循環路における浴槽に近接する部分を外部に開放する状態と開放しない状態とに電気的に切換操作可能な弁を設けた給湯設備を得るに至った。
【００２１】
本発明の第３特徴構成は、本発明の第１又は第２特徴構成において、前記排水用の弁が、閉じ側に復帰付勢されて、開くための動作電力が供給されるように、その動作電力が制御されるように構成されている点にある。
【００２２】
本発明の第３特徴構成によると、排水用の弁が閉じ側に復帰付勢されているので、その排水用の弁に対して開くための動作電力の供給を開始することで、閉じ状態の排水用の弁を開き状態に切り換えることができ、その後、動作電力の供給を維持することで、排水用の弁を開き状態に維持することができ、排水用の弁に対して開くための動作電力の供給を終了することで、開き状態の排水用の弁を閉じ状態に切り換えることができる。そして、閉じ状態の排水用の弁に対しては、動作電力の供給を行わなくても、閉じ状態を維持することができる。
【００２３】
したがって、ドレンタンクに貯留されたドレンを排水する必要が発生したときだけ、つまり、湯水通流手段を一時的にドレン排水状態にする間だけ、排水用の弁に対して開くための動作電力の供給し、湯水通流手段を前記給湯状態及び前記湯水循環状態にする間は、排水用の弁に対して動作電力の供給を行わないようにして、消費電力の低減を図ることができる。
【００２４】
このように、本発明の第３特徴構成によると、設置時や改修時の配線作業を行い易くする状態で、湯水循環用の循環路における浴槽に近接する部分を外部に開放する状態と開放しない状態とに電気的に切換操作可能な弁を設けたものであって、しかも、消費電力の低減を図ることができる給湯設備を得るに至った。
【００２５】
本発明の第４特徴構成は、本発明の第１〜第３特徴構成において、前記湯水通流手段が、前記給湯状態において、前記循環路の往き路及び戻り路を通して前記浴槽に給湯するように構成されている点にある。
【００２６】
本発明の第４特徴構成によると、浴槽に給湯する場合には、湯水通流手段を給湯状態に切り換えることで、循環路の往き路及び戻り路を通して前記浴槽に給湯することができるので、浴槽に給湯する場合の湯水の流路が大きくなり、所望量の湯水を短時間で浴槽に給湯することが可能となる。
【００２７】
このように、本発明の第４特徴構成によると、設置時や改修時の配線作業を行い易くする状態で、湯水循環用の循環路における浴槽に近接する部分を外部に開放する状態と開放しない状態とに電気的に切換操作可能な弁を設けたものであって、しかも、浴槽への給湯が迅速に行うことができる給湯設備を得るに至った。
【発明を実施するための最良の形態】
【００２８】
〔第１実施形態〕
本発明の給湯設備の第１の実施形態について図面に基づいて説明する。図１に本発明に係る給湯設備の概略構成を示している。本給湯設備は、浴室Ｙの外部に設置される給湯器本体としての給湯装置Ｄ、この給湯装置Ｄにおける湯水加熱部としての追焚用動作部Ｂと浴室Ｙに設置された浴槽５とを接続する湯水循環用の循環路としての追焚き用循環路４、及び運転リモコンとしてのリモコン装置Ｒ１とを備えている。
【００２９】
給湯装置Ｄは、湯水を、給湯用配管を通して浴槽に供給する給湯部として、一般家庭用の水道管に接続された給水路１からの水を燃焼用バーナとしてのガス燃焼式のバーナｇ１によって加熱して、加熱後の湯水を、先端に給湯栓２を備えた給湯路３に供給する給湯用動作部Ａと、浴槽５内の湯水を燃焼用バーナとしてのガス燃焼式のバーナｇ２によって加熱して追焚きする追焚用動作部Ｂとを備えている。
【００３０】
そして、これらの給湯用動作部Ａ及び追焚用動作部Ｂはいずれも上下２段に配置した主熱交換器Ｎ１及び潜熱回収式の熱交換器としての潜熱回収熱交換器Ｎ２を備えており、潜熱回収熱交換器Ｎ２にて熱交換された後の燃焼排ガスは排気路７を通して外部に排出されるように構成されている。
【００３１】
前記潜熱回収熱交換器Ｎ２からは、燃焼生成水である酸性の凝縮水であるドレンが生成するが、このドレンはドレンパン８によって集められて中和器９にて中和したのちにドレンタンクＤＴに貯留する構成となっている。中和器９には、詳述はしないが凝縮水に対して中和作用する中和剤（例えば、炭酸カルシウム）が装填されている。
【００３２】
前記給湯用動作部Ａ及び追焚用動作部Ｂには、各バーナｇ１、ｇ２に一般家庭用の燃料ガスを供給するガス供給路Ｇが接続され、燃料ガス供給量を調整する電磁式のガス比例弁１０、燃料ガスの供給断続する断続弁１１が設けられている。前記バーナｇ１、ｇ２に燃焼用空気を供給する燃焼用ファン１２も設けられ、バーナｇ１の近くには、バーナｇ１に対する点火動作を実行する点火用のイグナイタと着火されたか否かを検出するフレームロッドなどが設けられている。
【００３３】
前記給湯用動作部Ａには、給水路１と、主熱交換器Ｎ１および潜熱回収熱交換器Ｎ２を通過した後に加熱後の湯水を出湯する給湯路３とが接続され、給水路１を通して供給される被加熱流体としての水が熱交換されて所望の温度の湯水が給湯路３を通して供給されるように構成されている。
【００３４】
前記給水路１には、給水温度を検出する給水サ−ミスタ１３と給水量を検出する水量センサ１４とが設けられ、給水サ−ミスタ１３と水量センサ１４より下流側の給水路１と給湯路３とが、熱交換器Ｎ１，Ｎ２を迂回するように給水バイパス路１５を介して接続されている。
【００３５】
さらに、給湯路３には、上流側から順に、給湯用動作部Ａからの湯水の温度を検出する給湯サ−ミスタ１６と、給湯用動作部Ａからの湯量と給水バイパス路１５からの水量との混合比を調整するミキシング弁１７と、ミキシング弁１７により混合された後の湯水の温度を検出する出湯サ−ミスタ１８と、湯水の量を調整する水比例弁１９と、一般給湯の割込みを検出する割込み水量センサ２０とが設けられている。
【００３６】
前記水比例弁１９と割込み水量センサ２０との間の給湯路３には、給湯路３からの湯水を浴槽５に供給するための風呂用の湯張り路２２が分岐接続されている。前記追焚用動作部Ｂには、浴槽５からの浴槽用戻り路２３(本発明の戻り路に相当)と浴槽用往き路２４(本発明の往き路に相当)が接続され、浴槽用戻り路２３と浴槽用往き路２４とが追焚き用循環路４を構成している。
【００３７】
そして、浴槽用戻り路２３と浴槽用往き路２４とは、風呂アダプタ２５を介して浴槽５に接続され、浴槽用戻り路２３に設けられた循環ポンプ２６を駆動することにより、浴槽５内の湯水を浴槽用戻り路２３と浴槽用往き路２４を介して循環させた状態（本発明の湯水循環状態に相当）にしながら、追焚用動作部Ｂで追焚するように構成されている。
【００３８】
また、前記湯張り電磁弁３２を開くと、湯張り路２２から湯張り逆止弁３３を経由した湯水が浴槽用戻り路２３に通水され、通水圧により循環ポンプ２６が吐出方向と逆向きに自由回転して、浴槽用戻り路２３と浴槽用往き路２４の双方を通して給湯用動作部Ａからの給湯用湯水を浴槽５に給湯する状態（本発明の給湯状態に相当）になるように構成されている。
【００３９】
前記浴槽用戻り路２３には、上流側から順に、圧力を検出することによって浴槽５内の水位を検出する水位検出手段としての水位センサ２７と、浴槽５内の湯水の温度を検出する浴槽温検出手段としての戻りサ−ミスタ２８と、浴槽用戻り路２３を開閉する電磁式の風呂二方弁２９と、湯水循環用の循環ポンプ２６と、水流スイッチ３０とが設けられ、浴槽用往き路２４には、浴槽用の往きサ−ミスタ３１が設けられている。
【００４０】
前記風呂用の湯張り路２２は、追焚用循環ポンプ２６と水流スイッチ３０との間の浴槽用戻り路２３に接続されている。この湯張り路２２には、上流側から湯張り路２２を開閉する湯張り電磁弁３２と、湯張り逆止弁３３とが設けられている。前記湯張り電磁弁３２と湯張り逆止弁３３との間の湯張り路２２には、その湯張り路２２に連通する空気層形成用ホッパ３４が介装されている。この空気層形成用ホッパ３４には、湯水を排水するホッパ用排水路３５と、そのホッパ用排水路３５を開閉する電磁式のホッパ用排水弁３６とが設けられ、ホッパ用排水路３５の端部が風呂二方弁２９と循環ポンプ２６との間の浴槽用戻り路２３に接続されている。
【００４１】
この給湯装置Ｄにおいては、前記ドレンタンクＤＴに貯留されているドレンを、循環路を通してドレンタンクＤＴのドレンを浴槽側に通流させることができるようになっている。具体的には、浴槽用戻り路２３の循環ポンプ２６よりも上流側に本体側排水用切換弁２１が設け、逆流防止弁４５を備えたタンク接続管４６が本体側排水用切換弁２１を介して浴槽用戻り路２３に接続されている。
【００４２】
本体側排水用切換弁２１は、浴槽用戻り路２３の本体側排水用切換弁２１より下流側と上流側との部分が連通した状態となるように復帰付勢されており、作動用の電力の供給が開始されると、浴槽用戻り路２３の本体側排水用切換弁２１より下流側とタンク接続管４６とが連通した状態（本発明のドレン排水状態に相当）に切換わり、作動用の電力の供給が継続する間その状態を維持し、作動用の電力の供給が終了すると、浴槽用戻り路２３の本体側排水用切換弁２１より下流側部分と上流側部分とが連通した状態に自動的に切換わるように構成されている。
【００４３】
そして、本体側排水用切換弁２１が切り換えられて、浴槽用戻り路２３の本体側排水用切換弁２１より下流側と上流側との部分が連通した状態になると、風呂ニ方弁２９及び湯張り電磁弁３２の切換状態に応じて追焚きや湯張りを行うことができ、本体側排水用切換弁２１が切り換えられて、タンク接続管４６と浴槽用戻り路２３の本体側排水用切換弁２１より下流側の部分とが連通した状態になると、追焚き用循環路を通してドレンタンクのドレンを浴槽側に通流させることができる。
【００４４】
このように、給水路１、給湯路３及びミキシング弁１７と、湯張り路２２、湯張り電磁弁３２及び追焚き用循環ポンプ２６と、本体側排水用切換弁２１及びタンク接続管４６とで、湯水循環状態、給湯状態、及び、ドレン排水状態に切換自在な湯水通流手段が構成されている。
【００４５】
図２に示すように、浴槽用戻り路２３と浴槽用往き路２４とは、束ね合わせられて、それらを合成樹脂製の保護管（ＣＤ管）４７に収納された状態で浴室の洗い場Ｙ１に向かうように設置されている。そして、浴槽用戻り路２３及び浴槽用往き路２４は浴室Ｙの壁面に設けられた接続口から浴室Ｙの内部に導入され、浴槽５の風呂アダプタ２５と接続されている。図３にも示すように、保護管４７には、後述する運転制御部Ｈ１とリモコン装置Ｒ１とを通信可能に接続するリモコン配線５９も収納されている。リモコン配線５９は、保護管４７の接続箇所の浴室Ｙより外側位置で保護管４７から引き出され、保護管４７の接続箇所の近傍であってリモコン装置Ｒ１の取り付け位置に対応する壁面箇所に設けられた、開口６０を経てリモコン装置Ｒ１に接続されている。
【００４６】
保護管４７の接続箇所の近傍で、浴室Ｙの内側には、浴槽用往き路２４に備えられた排水用の浴槽側電磁弁４４を介してドレン排水管６が設けられている。ドレン排水管６は、排出側の端部が浴槽５や洗い場Ｙ１からの排水を浴室外に排水する排水口付近に位置するように配設されている。
【００４７】
そして、浴槽側電磁弁４４は、浴槽用往き路２４とドレン排水管６の流路を連通させ、かつ、浴槽用往き路２４の浴槽側電磁弁４４が取り付けられた位置よりも給湯装置Ｄ側の流路と浴槽５側の流路とを遮断する排水状態と、浴槽用往き路２４とドレン排水管６の流路を遮断し、浴槽用往き路２４の浴槽側電磁弁４４が取り付けられた位置よりも給湯装置Ｄ側の流路と浴槽５側の流路とを連通させ、かつ、浴槽用往き路２４とドレン排水管６の流路を遮断する通水状態とに切り換え自在な三方電磁弁で構成されている。
【００４８】
つまり、浴槽側電磁弁４４は、排水状態と通水状態とに切換え自在に構成されており、排水状態において、浴槽用往き路２４における浴槽５に近接する部分を外部に開放するので、本発明の排水用の弁として機能する。
【００４９】
浴槽側電磁弁４４は、通水状態側に復帰付勢されるように構成されている。つまり、浴槽側電磁弁４４が備える電磁弁コイル４４ｃに励磁電流を流していない間は、通水状態が維持され、電磁弁コイル４４ｃに励磁電流を流すことで、排水状態に切換えられ、排水状態に切換えられた後は、電磁弁コイル４４ｃに励磁電流を流している間は排水状態が維持され、電磁弁コイル４４ｃに励磁電流を流さないようにすることで、通水状態に切換えられるように構成されている。
【００５０】
この給湯装置Ｄの運転状態を制御する運転制御手段としての運転制御部Ｈ１は、給湯装置Ｄに装備され、マイクロコンピュ−タを備えたプログラム制御方式のコントローラで構成されている。運転制御部Ｈ１は、浴槽５に近接する箇所としての浴室Ｙ内の壁面に設置されたリモコン装置Ｒ１との間で通信可能に構成されている。
【００５１】
図５（ａ）に示すように、リモコン装置Ｒ１には、運転の開始と停止を指令する運転スイッチ３７、風呂自動運転を指令する自動スイッチ３８、一般給湯温度を設定する温度設定スイッチ３９、浴槽５内の目標水位を設定する水位設定スイッチ４０、浴槽に追加で湯張り給湯する足し湯スイッチ４１、追焚運転を指令する追焚スイッチ４２、ドレン排水スイッチ４３、ドレン排出時期報知用の表示ＬＥＤ５３、設定温度等の各種の情報を表示する情報表示画面５４等が設けられている。
【００５２】
また、リモコン装置Ｒ１は、給湯装置Ｄから作動用電力が供給されるように構成されている。説明を加えると、図５（ｂ）に示すように、リモコン装置Ｒ１の内部には、取付け面側にリモコン制御基板Ｐ１が内装されており、このリモコン制御基板Ｐ１は、ＰＷＢ基板に実装される各種のＩＣや電子部品等により構成されたプリント配線基板で構成されている。
【００５３】
説明を加えると、図４に示すように、リモコン制御基板Ｐ１は、電源回路部５０及び通信回路部５１等を備えている。電源回路部５０及び通信回路部５１には、給湯装置Ｄの運転制御部Ｈ１とリモコン装置Ｒ１とを接続するリモコン配線５９が端子台５６を介して接続されており、運転制御部Ｈ１からリモコン装置Ｒ１に対する電力の供給並びに運転制御部Ｈ１及びリモコン装置Ｒ１の半二重方式による双方向通信が可能となっている。本実施形態では、時分割多重方式により、リモコン装置Ｒ１に対する電力の供給とリモコン装置Ｒ１及び運転制御部Ｈ１間の双方向通信とを２線式の一対のリモコン配線５９により実現している。
【００５４】
リモコン配線５９は、浴室Ｙの壁面における取付け箇所に設けられた配線挿通用の開口６０から浴室Ｙ内に引き込まれて、リモコン装置Ｒ１の背面に設けられた配線口から内部に導入されて端子台５６に接続されている。端子台５６は２対４箇所の接続端子５７を備えており、１対の接続端子５７にはリモコン配線５９の各線が接続されている。そして、この端子台５６の他の一対の接続端子５７には、前記浴槽側電磁弁４４に対して動作電力を供給するための電磁弁配線５８が接続されている。
【００５５】
電磁弁配線５８は、前記開口６０から浴室Ｙの外部に引き出され、浴室Ｙの壁面において保護管４７の接続箇所とは異なる箇所に設けられた配線口から浴室Ｙ内に引き込まれるように配線されており、浴槽側電磁弁４４の電磁弁コイル４４ｃに接続されている。このように浴槽側電磁弁４４を、近傍に位置するリモコン装置Ｒ１と電磁弁配線５８により接続することで、配線作業の容易化を図りながら、給湯装置Ｄからの指令に基づいて、リモコン装置Ｒ１が、浴槽側電磁弁４４を切換え操作できるようになっている。
【００５６】
また、リモコン制御基板Ｐ１にはマイクロコンピュータ５２が実装されており、マイクロコンピュータ５２は、上記通信回路部５１、前述の各スイッチ３７〜４２、給湯装置Ｄのドレン水の排水処理が必要な時に点灯する報知用ＬＥＤ５３や、各種スイッチ３７〜４２に内臓されてスイッチのオン状態を表示する図外の照光用ＬＥＤ、時刻情報や設定温度情報など各種の情報を表示する情報表示画面５４、三方弁駆動回路部５５といった制御対象を制御可能に接続されており、また、電源回路部５０から動作電力の供給を受けながら制御対象を制御するように構成されている。
【００５７】
給湯装置Ｄの運転制御部Ｈ１からは、リモコン配線５９を介して、１２Ｖで電力の供給が行われるが、通信回路部５１、マイクロコンピュータ５２、及び各種の入出力素子は５Ｖで動作するので、運転制御部Ｈ１から１２Ｖで供給される作動用電力を電源回路部５１で５Ｖまで降圧して使用している。
【００５８】
三方弁駆動回路部５５は、マイクロコンピュータ５２からの制御指令に基づいて、浴槽側電磁弁４４の作動用の電力をオンオフ制御するスイッチング回路である。説明を加えると、三方弁駆動回路部５５は、オフ状態で、浴槽側電磁弁４４の電磁弁コイル４４ｃに対する電源回路部５０からの励磁電力の供給を遮断し、オン状態で、電磁弁コイルに対する電源回路部５０からの励磁電力の供給を許容する。なお、電源回路部５０から三方弁駆動回路部５５には、電源回路部５０で降圧する前の１２Ｖの電力が、浴槽側電磁弁４４の作動用電力として供給されている。
【００５９】
そして、浴槽側電磁弁４４は前述の通り、通水状態側に復帰付勢されているので、リモコン装置Ｒ１の三方弁駆動回路部５５がオン状態となると、電源回路５０から動作電力が供給されることで排水状態に切換わり、三方弁駆動回路部５５がオフ状態となると、電源回路５０から動作電力が供給されなくなり通水状態に切換わる。このように、浴槽側電磁弁４４は、リモコン装置Ｒ１からの動作電力にて操作されるように設けられている。
【００６０】
運転制御部Ｈ１がリモコン配線５９を介してリモコン装置Ｒ１のマイクロコンピュータ５２に浴槽側電磁弁４４の切換指令が指令すると、その切換指令に基づいて、マイクロコンピュータ５２が三方弁駆動回路部５５のオンオフ状態を切換え、これにより、浴槽側電磁弁４４の動作電力を制御するようになっている。つまり、本給湯設備は、リモコン装置Ｒ１が、運転制御部Ｈ１からの指令に基づいて、浴槽側電磁弁４４を開閉操作するように、浴槽側電磁弁４４の動作電力を制御するように構成されている。
【００６１】
そして、前記ドレンタンクＤＴには、図１に示すように、貯留されているドレンの貯留量が満杯に近い大側の設定量を越えているとオンし、前記大側の設定量を下回っているとオフする上側検知センサ４８と、ドレンの貯留量が小側の設定量を超えているとオンし、前記小側の設定量を下回っているとオフする下側検知センサ４９とが備えられ、運転制御部Ｈ１は、これらの各センサ４８，４９の検出情報に基づいて、ドレン排出時期を判別し、リモコン装置Ｒ１の報知用表示ＬＥＤ５３を点灯させるべく、リモコン装置Ｒ１に排出時期情報を出力するように構成されている（図６参照）。
【００６２】
前記運転制御部Ｈ１による制御動作について簡単に説明する。運転制御部Ｈ１は、リモコン装置Ｒ１の運転スイッチ３７が操作されると制御可能な状態になり、給湯栓２が開操作されると給湯栓２から湯水を給湯する一般給湯運転を実行する。この一般給湯運転は、給湯栓２を開いて水量センサ１４による検出水量が所定量以上になると、給湯用動作部Ａにおける燃焼用ファン１２を駆動した後、断続弁１１を開弁し、ガス比例弁１０の開度を調整してイグナイタによりバーナｇ１に点火し、温度設定スイッチ３９による設定温度、給水サ−ミスタ１３による検出水温、給湯サ−ミスタ１６による給湯温度、水量センサ１４による検出水量などに基づいて、給湯サ−ミスタ１６により検出される給湯温度が設定温度になるように、ガス比例弁１０の開度、並びに、ミキシング弁１７の開度を制御する。通水が検出されなくなると、ガス比例弁１０と断続弁１１を閉弁してバーナｇ１の燃焼を停止し、燃焼用ファン１２も停止して一般給湯運転を終了する。
【００６３】
運転制御部Ｈ１は、リモコン装置Ｒ１の足し湯スイッチ４１が操作されると、浴槽５の水位が設定水位になるように浴槽５に対する湯張り給湯を実行して設定水位になると給湯を停止する足し湯運転を実行する。
【００６４】
運転制御部Ｈ１は、リモコン装置Ｒ１の自動スイッチ３８が操作されると風呂自動制御を実行する。この風呂自動制御においては先ず自動湯張りを実行する。この自動湯張りは、一般給湯運転と同様に給湯用動作部Ａにより加熱制御して、設定温度の湯水を湯張り路２２を介して浴槽用戻り路２３と浴槽用往き路２４に供給して、浴槽用戻り路２３と浴槽用往き路２４の両方の経路から浴槽５内に供給する。そして、水位センサ２７の検出水位が設定水位以上になると、給湯用動作部Ａにより加熱を停止して浴槽５への湯張りを終了する。浴槽５への湯張りが終了すると、戻りサーミスタ２８の検出温度が設定温度に対し低下していると、追焚用循環ポンプ２６を駆動させ、浴槽５内の湯水とホッパ３４から排出された湯水などを浴槽用戻り路２３と浴槽用往き路２４などを介して循環させ、戻りサーミスタ２８の検出温度がリモコン装置Ｒ１の温度設定スイッチ４２による設定温度になるまで追焚用動作部Ｂにより追焚加熱を行う。戻りサーミスタ２８の検出温度がリモコン装置Ｒ１の温度設定スイッチ４２による設定温度になると、追焚用の循環ポンプ２６を停止して追焚加熱を終了する。
【００６５】
運転制御部Ｈ１は、リモコン装置Ｒ１の追焚スイッチ４２が操作されると追焚き運転を実行する。この追焚き運転は、基本的には、次のような処理を実行する。つまり、追焚用の循環ポンプ２６を駆動させて浴槽５内の湯水を浴槽用戻り路２３と浴槽用往き路２４などを介して循環させ、浴槽用の往きサ−ミスタ３１の検出温度が追焚用温度（６０℃）になるように追焚用動作部Ｂにて循環する湯水を加熱し、戻りサーミスタ２８の検出温度が温度設定スイッチ４２による設定温度になると追焚用の循環ポンプ２６による湯水の循環作動と追焚用動作部Ｂにおける加熱作動を停止する。
【００６６】
そして、運転制御部Ｈ１は、リモコン装置Ｒ１の自動スイッチ３８のオン操作による風呂自動処理を実行するときは、その風呂自動処理に先立ってドレンタンクＤＴに貯留されているドレンを排出させるように、本体側排水用切換弁２１及び浴槽側電磁弁４４の作動を制御して、ドレンタンクＤＴのドレンを浴室Ｙのドレン排水管６により外部に排出するドレン排出処理を実行するように構成されている。
【００６７】
また、運転制御部Ｈ１は、リモコン装置Ｒ１の追焚スイッチ４２のオン操作による追焚処理を実行するとき及び足し湯スイッチ４１のオン操作による足し湯処理を実行するときは、上側検知センサ４８及び下側検知センサ４９の検出情報に基づいて、ドレン排出時期であるか否を判別し、ドレン排出時期である場合に限り、これらの処理に先立ってドレン排出時期情報をリモコン装置Ｒ１に送信する。そして、リモコン装置Ｒ１からのドレン排出指令あると、ドレンタンクＤＴに貯留されているドレンを排出させるように、本体側排水用切換弁２１及び浴槽側電磁弁４４の作動を制御して、ドレンタンクＤＴのドレンを浴室Ｙのドレン排水管６により外部に排出するドレン排出処理を実行するように構成されている。
【００６８】
また、本給湯設備では、運転制御部Ｈ１が、湯水通流手段をドレン排水状態に切り換えてドレンを排水する状態においては、浴槽側電磁弁４４を排水状態にし、かつ、湯水通流手段を湯水循環状態及び給湯状態に切り換えて湯水を通流する状態においては、浴槽側電磁弁４４を排水状態にするように、リモコン装置Ｒ１に指令するように構成されている。以下、リモコン装置Ｒ１にて追焚スイッチ４２がオン操作された場合を例に、運転制御部Ｈ１及びリモコン装置Ｒ１の制御動作について、図６に示すフローチャートに基づいて説明する。
【００６９】
図６に示すように、リモコン装置Ｒ１にて追焚スイッチ４２がオン操作されると、ステップ＃１でYesと判別され、リモコン装置Ｒ１から追焚運転指令情報が運転制御部Ｈ１に対して送信される。運転制御部Ｈ１は、追焚運転指令情報を受信すると、上述したように、上側検知センサ４８及び下側検知センサ４９の検出情報に基づいて、ドレン排出時期であるか否を判別し、ドレン排出時期でなければ、そのまま追焚処理を実行する。ドレン排出時期であれば、ステップ＃２でYesと判別され、ドレン排出時期であることをリモコン装置Ｒ１に通知すべく、リモコン装置Ｒ１に対して排出時期情報を送信する。
【００７０】
リモコン装置Ｒ１は排出時期情報を受信すると、報知用表示ＬＥＤ５３を点灯させ（ステップ＃３）、ユーザーに対して、ドレン排出のための操作を促す。そして、ユーザーによりリモコン装置Ｒ１のドレン排出スイッチ４３がオン操作されると、ステップ＃４でYesと判別され、リモコン装置Ｒ１からドレン排出指令情報が運転制御部Ｈ１に対して送信される。運転制御部Ｈ１は、ドレン排出指令情報を受信すると、浴槽側電磁弁４４を排水状態に切換えるべく、弁切換指令を出力し（ステップ＃５）、リモコン装置Ｒ１に対して弁切換指令情報を送信する。
【００７１】
リモコン装置Ｒ１は弁切換指令情報を受信すると、前述のマイクロコンピュータ５２が、浴槽側電磁弁４４の電磁弁コイル４４ｃに励磁電力を供給するべく、運転制御部Ｈ１からの弁切換指令情報に基づいて、三方弁駆動回路部５５をオン状態に切換える制御指令を、三方弁駆動回路部５５に対して出力する。これにより、浴槽側電磁弁４４が排水状態に切換わる。リモコン装置Ｒ１は、浴槽側電磁弁４４を排水状態に切換えると、切換完了情報を運転制御部Ｈ１に対して送信する。
【００７２】
一方、運転制御部Ｈ１は、ステップ＃５で弁切換指令を出力した後、温水通流手段をドレン排水状態に切り換えるべく、ステップ＃６で温水通流手段を構成する本体側排水用切換弁２１等の各弁のうち必要なものを切換え操作する。そして、リモコン装置Ｒ１からの切換完了情報を受信すると、ドレンタンクＤＴのドレンを実際に排出するべく、ステップ＃８で循環ポンプ２６の駆動を開始させ、運転制御部Ｈ１が備えるソフトウェアタイマにより、予め設定された排出時間Ｔを計時し、排出時間Ｔが経過するとステップ＃１０へ移行して、循環ポンプ２６の駆動を開始させる。
【００７３】
循環ポンプ２６の通流作用により、ドレンタンクＤＴに貯留されているドレンが、タンク接続管４６、本体側排水用切換弁２１、浴槽用戻り路２３、追焚用動作部Ｂの主熱交換器Ｎ１及び潜熱回収熱交換器Ｎ２、浴槽用往き路２４、浴槽側電磁弁４４、ドレン排水管６の経路で浴室Ｙの外部へ排出される。
【００７４】
運転制御部Ｈ１は、排出時間Ｔに亘って循環ポンプ２６を駆動させた後、浴槽側電磁弁４４を通水状態に切換えるべく、弁切換指令を出力し（ステップ＃１１）、リモコン装置Ｒ１に対して弁切換指令情報を送信する。
【００７５】
リモコン装置Ｒ１は弁切換指令情報を受信すると、ステップ＃１３で、マイクロコンピュータ５２が、浴槽側電磁弁４４の電磁弁コイル４４ｃに供給されている励磁電力を遮断するべく、運転制御部Ｈ１からの弁切換指令情報に基づいて、三方弁駆動回路部５５をオフ状態に切換える制御指令を、三方弁駆動回路部５５に対して出力する。これにより、浴槽側電磁弁４４が通水状態に切換わる。リモコン装置Ｒ１は、浴槽側電磁弁４４を通水状態に切換えると、切換完了情報を運転制御部Ｈ１に対して送信する。
【００７６】
一方、運転制御部Ｈ１は、ステップ＃１１で弁切換指令を出力した後、温水通流手段を湯水循環状態に切り換えるべく、ステップ＃１２で、温水通流手段を構成する本体側排水用切換弁２１等の各弁のうち必要なものを切換え操作する。そして、リモコン装置Ｒ１からの切換完了情報を受信すると、前述した追焚処理を実行する。
【００７７】
以上の説明では、追焚処理を実行する前に必要に応じて行われるドレン排水処理について説明したが、足し湯スイッチ４１のオン操作による足し湯処理を実行する際も同様に、必要に応じて上述したドレンドレン排水処理が実行される。また、風呂自動処理を実行するときは、前述の通り、リモコン装置Ｒ１からのドレン排出指令がなくても、その風呂自動処理に先立ってドレンタンクＤＴに貯留されているドレンを排出させるように、自動的に運転制御部Ｈ１はステップ＃５〜ステップ＃１３の処理を実行するように構成されている。
【００７８】
〔第２実施形態〕
本実施形態は、浴槽側電磁弁４４を駆動する電磁弁駆動回路部５５がリモコン装置Ｒ１のリモコン制御基板Ｐ１でなく給湯装置Ｄの運転制御部Ｈ１に設けられている点及びこの点に対応した電磁弁配線５８の配線構造となっている点で相違している外は、上記第１実施形態と同じ構成であるので、以下、これらの相違点を中心に説明する。
【００７９】
つまり、本実施形態では、浴槽側電磁弁４４を切換駆動する電磁弁駆動回路部５５を、運転制御部Ｈ１に備えており、図７に示すように、浴槽側電磁弁４４の電磁弁コイル４４ｃに接続される電磁弁配線５８が、運転制御部Ｈ１に接続されている。そして、図８及び図９に示すように、浴槽用戻り路２３、浴槽用往き路２４、給湯装置Ｄとリモコン装置Ｒ１とを接続するリモコン用配線５９、及び、給湯装置Ｄと浴槽側電磁弁４４とを接続する弁操作用配線としての電磁弁配線５８が、共通の保護管４７の内部に収容された状態で配設されている。
【００８０】
運転制御部Ｈ１は、本体側排水用切換弁２１等で構成される湯水通流手段をドレン排水状態に切り換えてドレンタンクＤＴのドレンを排水する状態においては、浴槽側電磁弁４４を排水状態に、駆動回路部５５をオン状態に夫々切換え、かつ、本体側排水用切換弁２１等で構成される湯水通流手段を湯水循環状態及び給湯状態に切り換えて湯水を通流する状態においては、浴槽側電磁弁４４を通水状態に、駆動回路部５５をオフ状態に切換えることにより、浴槽側電磁弁４４の動作電力を制御するように構成されている。
【００８１】
説明を加えると、例えば、リモコン装置Ｒ１の追焚スイッチ４２がオン操作されると、第１実施形態と同様に、運転制御部Ｈ１は、ドレン排出時期であるか否かを判別し、ドレン排出時期であれば、報知用表示ＬＥＤ５３を点灯させてユーザーに報知し、ドレン排出スイッチ４３がオン操作されてリモコン装置Ｒ１にてドレン排出指令が指令されると、ドレン排出処理を実行する。
【００８２】
そして、本実施形態では、ドレン排出処理において、運転制御部Ｈ１が、浴槽側電磁弁４４を排水状態に切換えるべく、駆動回路部５５に制御指令を指令してオン状態に切換えて、電磁弁配線５８により浴槽側電磁弁４４の電磁弁コイル４４ｃに動作電力を供給する状態にし、排出時間Ｔが経過すると、浴槽側電磁弁４４を通水状態に切換えるべく、駆動回路部５５に制御指令を指令してオフ状態に切換えて、電磁弁配線５８により浴槽側電磁弁４４の電磁弁コイル４４ｃに動作電力を供給しない状態にするようになっている。
【００８３】
このように、本給湯設備は、運転制御部Ｈ１と浴槽側電磁弁４４とを接続する電磁弁配線５８が、浴槽用戻り路２３、浴槽用往き路２４、及びリモコン配線５９が収納される共通の保護管４７の内部に収納された構成とすることにより、給湯装置Ｄと浴槽側電磁弁４４との配線作業を、浴槽用戻り路２３、浴槽用往き路２４、及び、リモコン配線５９の施工時に一時にまとめて行うことができ、浴槽側電磁弁４４を設ける場合の配線作業が行い易いものとなっている。
【００８４】
〔別実施形態〕
以下、別実施形態を列記する。
【００８５】
（１）上記各実施形態では、排水用の弁が１つの三方電磁弁で構成されたものを例示したが、これに限らず、排水用の弁が、複数のニ方弁を組み合わせた排水弁部で構成されたものであってもよい。
【００８６】
（２）上記各実施形態では、リモコン用配線が２線式で構成され、運転制御手段と運転リモコンとが半二重方式による双方向通信を行うものを例示したが、リモコン用配線が４線式で構成され、運転制御手段と運転リモコンとが全二重による双方向通信を行うものや、その他の方式で通信を行うものの他、リモコン用配線が４線式で構成され、４線のうち２線で双方向通信を行い、４線のうち残りの２線で運転制御手段から運転リモコンへの電力供給を行うように構成されたもの等、リモコン用配線の構成、並びに、運転制御手段と運転リモコンとの間の通信方式及び電力供給方式は適宜変更可能である。
【００８７】
（３）湯水加熱部や湯水通流手段の構成は、上記各実施形態で示した構成に限られるものではなく、適宜変更可能である。
【００８８】
（４）上記第１実施形態では、浴槽用戻り路２３と浴槽用往き路２４とが保護管４７に収納された状態で浴室の洗い場Ｙ１に向かうように設置されたものを例示したが、保護管を有さないものであってもよい。
【図面の簡単な説明】
【００８９】
【図１】第１実施形態における給湯設備の全体構成図
【図２】第１実施形態における配管構成を示す図
【図３】第１実施形態における保護管の切欠斜視図
【図４】第１実施形態におけるリモコン制御基盤の制御ブロック図
【図５】第１実施形態におけるリモコン装置の外観図（ａ）表面（ｂ）取り付け面
【図６】第１実施形態における運転制御部及びリモコン装置の動作フロー
【図７】第２実施形態における給湯設備の全体構成図
【図８】第２実施形態における配管構成を示す図
【図９】第２実施形態における保護管の切欠斜視図
【符号の説明】
【００９０】
Ｄ    給湯器本体
Ｂ    湯水加熱部
Ｒ１  運転リモコン
Ｈ１  運転制御手段
Ｎ１，Ｎ２  熱交換器
ＤＴ  ドレンタンク
５    浴槽
２３  往き路、循環路、配管
２４  戻り路、循環路、配管
４４  排水用の弁
４７  共通の保護管
５８  弁操作用配線
５９  リモコン用配線
１，３，１７，２１，２２，２６，３２，４６  湯水通流手段
【図１】
2008008588.tif 000003
【図２】
2008008588.tif 000004
【図３】
2008008588.tif 000005
【図４】
2008008588.tif 000006
【図５】
2008008588.tif 000007
【図６】
2008008588.tif 000008
【図７】
2008008588.tif 000009
【図８】
2008008588.tif 000010
【図９】
2008008588.tif 000011